(57)【要約】【課題】タッチパネル上での画像補正を容易に行えるようにする。【解決手段】操作表示装置１は、補正対象の画像を表示するタッチパネル１６と、タッチパネル１６の所定領域が押下されていることが検出されている間、前記画像の画質パラメータを連続的に変化させ、前記所定領域の押下が検出されなくなると、前記画質パラメータの変化を停止する調整部と、を備える。【選択図】図１
2019106566.tif 000002
【特許請求の範囲】
【請求項１】
補正対象の画像を表示するタッチパネルと、
前記タッチパネルの所定領域が押下されていることが検出されている間、前記画像の画質パラメータを連続的に変化させ、前記所定領域の押下が検出されなくなると、前記画質パラメータの変化を停止する調整部と、
を備える操作表示装置。
【請求項２】
前記タッチパネルは、前記調整部が調整する画質パラメータの項目名を含む画質パラメータ調整ボタンを表示し、
前記所定領域は画質パラメータ調整ボタンの表示領域であることを特徴とする請求項１に記載の操作表示装置。
【請求項３】
前記所定領域は、前記画像の表示領域であることを特徴とする請求項１に記載の操作表示装置。
【請求項４】
前記調整部は、前記所定領域の押圧力に応じた速度で、前記画質パラメータを変化させることを特徴とする請求項１乃至３のいずれかに記載の操作表示装置。
【請求項５】
前記画質パラメータは画像の明るさであり、前記調整部は、前記所定領域の押下が検出されている間、所定の上限まで前記画像を徐々に明るくする処理と、所定の下限まで前記画像を徐々に暗くする処理とを交互に行うことを特徴とする請求項１乃至４のいずれかに記載の操作表示装置。
【請求項６】
前記画質パラメータは画像のコントラストであり、前記調整部は、前記所定領域の押下が検出されている間、所定の上限まで前記画像のコントラストを徐々に高くする処理と、所定の下限まで前記画像のコントラストを徐々に低くする処理とを交互に行うことを特徴とする請求項１乃至５のいずれかに記載の操作表示装置。
【請求項７】
タッチパネルを備えるコンピュータを制御するプログラムであって、
補正対象の画像を前記タッチパネルに表示するステップと、
前記タッチパネルの所定領域が押下されていることが検出されている間、前記画像の画質パラメータを連続的に変化させ、前記所定領域の押下が検出されなくなると、前記画質パラメータの変化を停止するステップと、
を前記コンピュータに実行させることを特徴とするプログラム。
【発明の詳細な説明】
【技術分野】
【０００１】
本発明は、操作表示装置及びプログラムに関する。
【背景技術】
【０００２】
デジタルカメラ等で撮影した画像の明るさやコントラスト等のパラメータを調整して画像を補正する画像処理が行われている。ユーザは、画像処理ソフトを使用し、撮影画像をディスプレイに表示して明るさやコントラスト等を確認しながら調整する。従来、図７に示すようなスライダ４１を動かしたり、増減ボタン４２で値を増減させたり、数値を直接入力したりして、パラメータ調整を行っていた。
【０００３】
しかし、スマートフォンやタブレット端末等のタッチパネルのサイズが大きくない機器では、スライダ４１や増減ボタン４２の表示サイズが小さく、これらを指先で操作してパラメータ調整することは困難であった。
【先行技術文献】
【特許文献】
【０００４】
【特許文献１】特開２００５−１２８９５４号公報
【特許文献２】特開２００６−３０２１８４号公報
【発明の概要】
【発明が解決しようとする課題】
【０００５】
本発明は、タッチパネル上での画像補正を容易に行うことができる操作表示装置及びプログラムを提供することを課題とする。
【課題を解決するための手段】
【０００６】
本発明の操作表示装置は、補正対象の画像を表示するタッチパネルと、前記タッチパネルの所定領域が押下されていることが検出されている間、前記画像の画質パラメータを連続的に変化させ、前記所定領域の押下が検出されなくなると、前記画質パラメータの変化を停止する調整部と、を備えるものである。
【０００７】
本発明の一態様では、前記タッチパネルは、前記調整部が調整する画質パラメータの項目名を含む画質パラメータ調整ボタンを表示し、前記所定領域は画質パラメータ調整ボタンの表示領域である。
【０００８】
本発明の一態様では、前記所定領域は、前記画像の表示領域である。
【０００９】
本発明の一態様では、前記調整部は、前記所定領域の押圧力に応じた速度で、前記画質パラメータを変化させる。
【００１０】
本発明の一態様では、前記画質パラメータは画像の明るさであり、前記調整部は、前記所定領域の押下が検出されている間、所定の上限まで前記画像を徐々に明るくする処理と、所定の下限まで前記画像を徐々に暗くする処理とを交互に行う。
【００１１】
本発明の一態様では、前記画質パラメータは画像のコントラストであり、前記調整部は、前記所定領域の押下が検出されている間、所定の上限まで前記画像のコントラストを徐々に高くする処理と、所定の下限まで前記画像のコントラストを徐々に低くする処理とを交互に行う。
【００１２】
本発明のプログラムは、タッチパネルを備えるコンピュータを制御するプログラムであって、補正対象の画像を前記タッチパネルに表示するステップと、前記タッチパネルの所定領域が押下されていることが検出されている間、前記画像の画質パラメータを連続的に変化させ、前記所定領域の押下が検出されなくなると、前記画質パラメータの変化を停止するステップと、を前記コンピュータに実行させるものである。
【発明の効果】
【００１３】
本発明によれば、タッチパネル上での画像補正を容易に行うことができる。
【図面の簡単な説明】
【００１４】
【図１】実施の形態に係る操作表示装置の外観図である。
【図２】（ａ）〜（ｃ）は画像の明るさの変化の例を示す図である。
【図３】実施の形態に係る操作表示装置の概略構成を示すブロック図である。
【図４】画像処理プログラムを実行することで実現される機能ブロック図である。
【図５】実施の形態に係る画像処理方法を説明するフローチャートである。
【図６】（ａ）〜（ｃ）は画像補正画面の表示例を示す図である。
【図７】パラメータ調整用のスライダ及びボタンの例を示す図である。
【発明を実施するための形態】
【００１５】
以下、図面を参照して実施の形態について説明する。
【００１６】
図１は、本発明の実施の形態に係る操作表示装置１で画像補正を行う場合の表示画面を示す。操作表示装置１は、例えばスマートフォンやタブレット端末であり、タッチパネル１６にＧＵＩ（グラフィックユーザインタフェース）部品の仮想ボタンである明るさ調整ボタン２及びコントラスト調整ボタン３を表示する。
【００１７】
ユーザが明るさ調整ボタン２を指（又はタッチペン）で押すことで、補正対象の画像４の明るさが変化する。ユーザがコントラスト調整ボタン３を押すことで、画像４のコントラストが変化する。
【００１８】
ユーザが明るさ調整ボタン２を押し続けている間、操作表示装置１は、画像４の明るさを連続的に変化させる。例えば、図２（ｂ）に示す初期画像から徐々に明るくなり、図２（ｃ）に示す明るさの上限に達した後は、図２（ａ）に示す明るさの下限に達するまで徐々に暗くなる。その後、画像４は徐々に明るくなり、図２（ｂ）に示す初期画像に戻る。
【００１９】
操作表示装置１は、明るさ調整ボタン２が押し続けられている間、明るさの上限まで画像４を徐々に明るくする処理と、明るさの下限まで画像４を徐々に暗くする処理とを交互に繰り返す。ユーザが、明るさ調整ボタン２から指を離すと、操作表示装置１は、画像４の明るさの変化を止める。
【００２０】
同様に、ユーザがコントラスト調整ボタン３を押し続けている間、操作表示装置１は、画像４のコントラストを連続的に変化させる。例えば、初期画像から徐々にコントラストが高くなり、コントラストの上限に達した後は、コントラストの下限に達するまで徐々に低くなる。その後、画像４は徐々にコントラストが高くなり、初期画像に戻る。
【００２１】
操作表示装置１は、コントラスト調整ボタン３が押し続けられている間、コントラストの上限まで画像４のコントラストを徐々に高くする処理と、コントラストの下限まで画像４のコントラストを徐々に低くする処理とを交互に繰り返す。ユーザが、コントラスト調整ボタン３から指を離すと、操作表示装置１は、画像４のコントラストの変化を止める。
【００２２】
ユーザは、タッチパネル１６に表示される画像４の明るさを確認しながら、好みの明るさになったら明るさ調整ボタン２から指を離す。また、ユーザは、タッチパネル１６に表示される画像４のコントラストを確認しながら、好みのコントラストになったらコントラスト調整ボタン３から指を離す。明るさやコントラストの調整後、完了ボタン６を押すことで画像補正が終了し、補正された画像が操作表示装置１に保存される。
【００２３】
図７に示すようなスライダ４１等をタッチパネルに表示して画像補正を行う場合、パラメータの調整が困難であった。タッチパネルのサイズが小さい場合は、パラメータ調整が特に困難であった。これに対し、本実施形態では、明るさ調整ボタン２やコントラスト調整ボタン３を押し続けている間、画像４の明るさやコントラストが徐々に変化する。好みの画像になった時にボタン２，３から指を離すだけでよい。そのため、パラメータ調整による画像補正を容易に行うことができる。
【００２４】
図３は、操作表示装置１の概略構成を示すブロック図である。操作表示装置１は、操作表示装置１の動作を統括的に制御する制御部としてのＣＰＵ（Central  Processing  Unit）１０を有している。ＣＰＵ１０には、バスを介して、ＲＯＭ（Read  Only  Memory）１１、ＲＡＭ（Random  Access  Memory）１２、不揮発性メモリ１３、操作部１４、表示部１５等が接続されている。
【００２５】
ＣＰＵ１０は、ＯＳ（Operating  System）プログラムをベースとし、その上で、ミドルウェアやアプリケーションプログラムなどを実行する。ＲＯＭ１１には、各種のプログラムが格納されており、これらのプログラムに従ってＣＰＵ１０が各種処理を実行することで操作表示装置１の各機能が実現される。
【００２６】
ＲＡＭ１２は、ＣＰＵ１０がプログラムに基づいて処理を実行する際にデータを一時的に格納するワークメモリとして使用される。
【００２７】
不揮発性メモリ１３は、画像データの保存などに使用される。不揮発性メモリ１３は、例えばフラッシュメモリである。
【００２８】
操作部１４は、ユーザから各種の操作を受け付ける。表示部１５は、各種の操作画面を表示する。この実施の形態では、タッチパネル１６が、操作部１４及び表示部１５の機能を有する。
【００２９】
ＲＯＭ１１（又は不揮発性メモリ１３）には画像処理プログラムが格納されており、ＣＰＵ１０が画像処理プログラムを実行することで、図４に示すように、画像選択部２０、明るさ調整部２１、コントラスト調整部２２、及び画像保存処理部２３が実現される。
【００３０】
画像選択部２０は、不揮発性メモリ１３に格納されている画像データのサムネイルをタッチパネル１６に表示し、補正を行う画像の選択を受け付ける。
【００３１】
明るさ調整部２１は、公知の手法（例えばガンマ補正）を用いて、補正対象の画像の明るさを調整する。明るさ調整部２１は、明るさ調整ボタン２が押されたことを検知すると、画像の明るさ調整を開始する。明るさ調整部２１は、明るさ調整ボタン２が押されている間、画像の明るさを僅かに変える処理を繰り返す。
【００３２】
例えば、明るさ調整部２１は、明るさの所定の上限まで画像を徐々に明るくし、所定の上限に達した後は、所定の下限まで明るさを徐々に暗くする。
【００３３】
コントラスト調整部２２は、公知の手法を用いて、補正対象の画像のコントラストを調整する。コントラスト調整部２２は、コントラスト調整ボタン３が押されたことを検知すると、画像のコントラスト調整を開始する。コントラスト調整部２２は、コントラスト調整ボタン３が押されている間、画像のコントラストを僅かに変える処理を繰り返す。
【００３４】
例えば、コントラスト調整部２２は、所定の上限まで画像のコントラストを徐々に高くしていき、所定の上限に達した後は、所定の下限までコントラストを徐々に低くする。
【００３５】
画像の明るさやコントラストの上限・下限は、画像処理プログラムに予め設定されている。
【００３６】
画像保存処理部２３は、明るさやコントラスト等が調整された補正処理済みの画像を不揮発性メモリ１３に保存する。画像データを新たに保存してもよいし、補正前の画像データと置き換えて保存してもよい。
【００３７】
次に、図５に示すフローチャートに沿って、画像の明るさ調整を行う方法について説明する。ユーザが、サムネイル画面から補正対象の画像を選択する。画像選択後、ユーザによりメニューボタン等から画像補正モードが選択されると、操作表示装置１は、図１に示すような画像補正画面をタッチパネル１６に表示する。
【００３８】
ユーザが明るさ調整ボタン２を押す。明るさ調整部２１は、明るさ調整ボタン２が押されたことを検知すると、上限値に達するまで画像を徐々に明るくする。明るさの上限値に達すると、明るさ調整部２１は、下限値に達するまで画像を徐々に暗くする。明るさの下限値に達すると、明るさ調整部２１は、再び上限値に達するまで画像を徐々に明るくする。
【００３９】
明るさ調整部２１は、明るさ調整ボタン２が押し続けられている間、明るさの上限まで画像を徐々に明るくする処理と、明るさの下限まで画像を徐々に暗くする処理とを交互に繰り返す。
【００４０】
明るさ調整ボタン２から指が離れ、ボタン押圧が検知されなくなると、明るさ調整部２１は、画像の明るさ変更処理を停止する。
【００４１】
コントラストについても、明るさと同様の方法で調整できる。
【００４２】
本実施形態によれば、画像が好みの明るさやコントラストになるまで明るさ調整ボタン２やコントラスト調整ボタン３を押し続けるだけでよい。スライダ４１（図７参照）等を用いる場合と比較して、画像の明るさやコントラストを容易に調整できる。特に、タッチパネル１６のサイズが大きくない場合に効果的である。
【００４３】
上記実施形態では、画像の明るさ及びコントラストを調整する例について説明したが、画質パラメータの調整項目はこれらに限定されず、露光量、色相、彩度などでもよい。
【００４４】
上記実施形態では、明るさ調整ボタン２やコントラスト調整ボタン３等の画質パラメータ調整ボタンを押し続けることで、明るさやコントラスト等の画質パラメータを調整する例について説明したが、画像を押すことで画質パラメータを調整するようにしてもよい。
【００４５】
例えば図６（ａ）に示すように、タッチパネル１６に表示された画像４（画像表示領域）を押し続けている間、画像４の明るさが連続的に変化するようにしてもよい。
【００４６】
図６（ｂ）に示すように、プルダウンメニュー（ドロップダウンリスト）５から、調整するパラメータを切り替えることができる。図６（ｃ）に示す画面では、画像４を押し続けている間、画像４のコントラストが連続的に変化する。
【００４７】
操作表示装置１は、明るさ調整ボタン２、コントラスト調整ボタン３、画像４が押下（ユーザによる接触操作）されているか否かだけでなく、押されている力（押圧力）を検出してもよい。操作表示装置１は、押圧力に応じて、パラメータ変化の速度を変える。例えば、押圧力が大きい程、パラメータを速く変化させる。
【００４８】
これにより、例えば、明るさ調整ボタン２を押して画像の明るさを変更している際に、所望の明るさで指を離せなかった場合、明るさ調整ボタン２を強く押すことで明るさの変化が速くなり、所望の明るさに速やかに到達する（戻す）ことができる。
【００４９】
上記実施形態に係る画像補正処理は、ユーザが、スマートフォンやタブレット端末等の携帯機器を用いてフォトブック、カレンダー、ポストカード、ポスター等の注文を行う際の画像編集処理にも適用することができる。編集後の画像データが注文受付サーバに送信される。注文受付サーバは、画像データを工場へ転送する。工場においてプリント処理が行われ、フォトブック等の印画物が製造される。
【００５０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００５１】
１  操作表示装置
２  明るさ調整ボタン
３  コントラスト調整ボタン
４  画像
１６  タッチパネル
【図１】
2019106566.tif 000003
【図２】
2019106566.tif 000004
【図３】
2019106566.tif 000005
【図４】
2019106566.tif 000006
【図５】
2019106566.tif 000007
【図６】
2019106566.tif 000008
【図７】
2019106566.tif 000009